(57)【要約】【課題】壁パネルの高さ調節が容易な壁パネルの高さ調節構造を提供すること。【解決手段】基礎部材１に頭付ボルト２が鉛直姿勢で螺入され、壁パネルが載置される巾木３が前記頭付ボルト２で支えられ、頭付ボルト２の頭部２０の回転操作により巾木３を介して壁パネルが高さ調節できる構造において、巾木３は、天板３０と、前記天板から垂下され且つ基礎部材の表裏面を覆う両側板３１，３２と、前記天板の下方において両側板相互間に架設された被支持板３３とから成り、被支持板３３の上面側にボルト頭部の少なくとも上部分を回転可能に貫通突出させる態様で、当該被支持板３３を頭付ボルト２又は他部材を介して支えてあると共に、被支持板３３上の現れた頭部２０を回転操作するための開口部３４を側板に設けてある。【選択図】  図１
2005023611.tif 000002
【特許請求の範囲】
【請求項１】
基礎部材に頭付ボルトが鉛直姿勢で螺入され、壁パネルが載置される巾木が前記頭付ボルトで支えられ、頭付ボルトの頭部の回転操作により巾木を介して壁パネルが高さ調節できる構造において、巾木は、天板と、前記天板から垂下され且つ基礎部材の表裏面を覆う両側板と、前記天板の下方において両側板相互間に架設された被支持板とから成り、被支持板の上面側にボルト頭部の少なくとも上部分を回転可能に貫通突出させる態様で、当該被支持板を頭付ボルト又は他部材を介して支えてあると共に、被支持板上の現れた頭部を回転操作するための開口部を側板に設けてあることを特徴とする壁パネルの高さ調節構造。
【請求項２】
開口部はバネ板材を介して蓋板で取り外し可能に塞いであることを特徴とする請求項１記載の壁パネルの高さ調節構造。
【請求項３】
開口部は天板からの垂下片の端縁と被支持板からの立設片の端縁により形作られており、蓋板には開口部への閉蓋時において上記垂下片や立設片と対面する垂下片及び立設片を設けてあり、バネ板材は断面略Ｕ字状又は断面略Ｖ字状に形成されていると共にその両端域にクリップ部を設けてあり、一方のクリップ部で両垂下片相互間の、他方のクリップ部で両立設片相互間の、それぞれガタ付きを阻止するようにしてあることを特徴とする請求項２記載の壁パネルの高さ調節構造。
【発明の詳細な説明】
【０００１】
【発明の属する技術分野】
この発明は、連設することにより内装壁部を構成する壁パネルの高さ調節構造に関するものである。
【０００２】
【従来の技術】
既設の建物躯体内に部屋の形状に合わせて床ボーダを敷設し、この床ボーダ上に複数の壁パネルを連接することにより内装壁部を構成し、部屋空間を区画する所謂プレハブルームやトイレブース等が知られている。
【０００３】
上記プレハブルーム等の内装壁部を構成する壁パネルにあっては、従来より様々な高さ調整構造が提案されているが、最も簡単な高さ調節構造は、床ボーダと壁パネル下端面との間に高さ調節ボルト（雄ネジにナットを螺号させたものを含む）を介在させたものである（例えば、特許文献１。）。
【０００４】
【特許文献１】
実公平６−１９５２号公報（第５図参照）
しかしながら、従来の高さ調節構造では、壁パネルの下面に一体化した金属板をこれの下面に接触している高さ調節ボルトの頭部（又はネジ棒に螺合されたナット）をスパナで回すようにして、壁パネルを上下動させるものであるから、スパナがボルト頭やナットから外れやすく作業が非常にやりにくいという問題があった。
【０００５】
【発明が解決しようとする課題】
そこで、この発明では、壁パネルの高さ調節が容易な壁パネルの高さ調節構造を提供することを課題とする。
【０００６】
【課題を解決するための手段】
（請求項１記載の発明）
この発明は、基礎部材に頭付ボルトが鉛直姿勢で螺入され、壁パネルが載置される巾木が前記頭付ボルトで支えられ、頭付ボルトの頭部の回転操作により巾木を介して壁パネルが高さ調節できる構造において、巾木は、天板と、前記天板から垂下され且つ基礎部材の表裏面を覆う両側板と、前記天板の下方において両側板相互間に架設された被支持板とから成り、被支持板の上面側にボルト頭部の少なくとも上部分を回転可能に貫通突出させる態様で、当該被支持板を頭付ボルト又は他部材を介して支えてあると共に、被支持板上の現れた頭部を回転操作するための開口部を側板に設けてある。
【０００７】
（請求項２記載の発明）
この発明の壁パネルの高さ調節構造は、上記請求項１記載の発明に関し、開口部はバネ板材を介して蓋板で取り外し可能に塞いである。
【０００８】
（請求項３記載の発明）
この発明の壁パネルの高さ調節構造は、上記請求項２記載の発明に関し、開口部は天板からの垂下片の端縁と被支持板からの立設片の端縁により形作られており、蓋板には開口部への閉蓋時において上記垂下片や立設片と対面する垂下片及び立設片を設けてあり、バネ板材は断面略Ｕ字状又は断面略Ｖ字状に形成されていると共にその両端域にクリップ部を設けてあり、一方のクリップ部で両垂下片相互間の、他方のクリップ部で両立設片相互間の、それぞれガタ付きを阻止するようにしてある。
【０００９】
なお、上記発明の壁パネルの高さ調節構造の作用・効果については以下の発明の実施の形態の欄で説明する。
【００１０】
【発明の実施の形態】
以下、この発明を実施形態として示した図面に従って説明する。
【００１１】
図１はこの発明の実施形態における壁パネルの高さ調節構造の断面図であり、図２は壁パネルの高さ調節構造の斜視図、図３は開口部を蓋板で閉じた状態を示す断面図、図４は蓋板に取付けられたバネ板材の斜視図を示している。
【００１２】
（壁パネルの高さ調節構造の基本的構造について）
この壁パネルの高さ調節構造は、図１や図２に示すように、基礎部材１に頭付ボルト２が鉛直姿勢で螺入され、壁パネルＰが載置される巾木３が前記頭付ボルト２で支えられ、頭付ボルト２の頭部２０の回転操作により巾木３を介して壁パネルＰが高さ調節できるようになっている。なお、高さ調節構造では、図１や図２に示すように、巾木３に形成した開口部３４を介して頭部２０がレンチで回転操作できるようにしてあり、通常、開口部３４は蓋板４で閉じられている。
【００１３】
以下にこの高さ調節構造の構成部材について説明する。
（基礎部材１について）
基礎部材１は、図１や図２に示すように、上面開放の断面横コ字状に形成された主体１０と、前記主体１０の両上端部に長さ方向にすすみ対偶状態に設けられた板材１１とから構成されており、図１に示した正面視でほぼ正方形に形成されている。
【００１４】
主体１０はアルミ押出形材であり、図１や図２に示すように、両方の上端部に相互に対向する溝部１２が形成されている。
【００１５】
板材１１は、図１に示すように、厚めのアルミ板材で構成された角形状の小片であり、その中央部には頭付ボルト２の雄ネジがねじ込まれる雌ネジ１３が貫通形成してある。
【００１６】
そして、上記した主体１０の、一方の溝１２に板材１１の一縁側が、他方の溝１２に板材１１の他縁側が、それぞれ嵌入され、板１１は溝１２，１２に案内されてすすみ対偶状態となっている。
【００１７】
なお、この主体１０の底壁には図示しない孔が形成されており、この孔を利用して基礎部材１は床面Ｆにボルト止め又はアンカ−止めできるようにしてある。
【００１８】
「基礎部材１の他の形態」
上記実施形態にかえて、基礎部材１を角パイプとし、所定位置に雌ネジ１３を貫通形成するようにしたものでもよい。
【００１９】
（頭付ボルト２について）
頭付ボルト２は、図１に示すように、六角形状の頭部２０と、これに連設された雄ネジ２１とから構成されている。
【００２０】
ここで、この頭付ボルト２の頭部２０の真下には、図１に示すように、頭部２０の平面視形状よりもかなり大きい円形状のフランジ板２２を固着してある。
【００２１】
「頭付ボルト２の他の形態」
上記実施形態の頭付ボルト２にかえて、フランジ板２２を後付けするのではなく、最初からフランジ板２２が一体化されているものでもよい。
【００２２】
また、フランジ板２２を図６に示すような形態にすれば、頭部２０の被支持板３３からの突出量は大きくなるからスパナによって頭部２０を回しやすくなる。
【００２３】
（巾木３について）
巾木３は、アルミ押出形材であり、図１や図２に示すように、天板３０と、前記天板３０から垂下され且つ基礎部材１の表裏面を覆う両側板３１，３２と、前記天板１の下方において両側板３１，３２相互間に架設された被支持板３３とから構成されている。
【００２４】
上記被支持板３３は、図１に示すように孔３５が形成されており、前記孔３５を介して上面側に頭部２０の上部分を回転可能に貫通突出させてある。そして、この被支持板３３は、図１に示すように頭付ボルト２に固定したフランジ板２２により支えられている。
【００２５】
側板３１には、図１に示すように、被支持板３３上の現れた頭部２９をスパナ（市販品でも簡易のスパナでもよい）で回転操作するための開口部３４を形成してある。なお、この開口部３４は、図１や図３に示すように、天板１０からの垂下片１４の端縁と被支持板３３からの立設片１５の端縁により形作られている。
【００２６】
（蓋板４について）
蓋板４は、アルミ押出形材であり、図１や図３に示すように開口部３４を閉蓋するものである。
【００２７】
蓋板４は、開口部３４の上端よりも少し上から側板３１の下端を覆うだけの高さ寸法にしてある板状の主体４０と、前記主体４０の片面の上端部に設けられた断面Ｌ字部材４１（横片４１ａと垂下片４１ｂ）と、前記主体４０の片面の中央部付近に設けられた断面Ｌ字部材４２（横片４２ａと立設片４２ｂ）とから構成されている。
【００２８】
ここで、この蓋体４では、図３に示すように、上記主体４０と垂下片４１ｂとの間には、上記主体４０と立設片４２ｂとの間には、それぞれ隙間ｇが形成されている。また、蓋板４で開口部３４を閉じた状態では、図３に示すように、垂下片４１ｂは上記垂下片１４と、立設片４２ｂは立設片１５と、それぞれ対面するようになっている。
【００２９】
なお、この蓋体４では、巾木３への着脱を容易にすべく後述するバネ板材５を取付けてある。
【００３０】
「蓋板４の他の形態」
上記実施形態の蓋板４にかえて、高さ方向の寸法は開口部３４のみを覆う程度の大きさとすることもできる。
【００３１】
（バネ板材５について）
バネ板材５は、アルミ押出形材であり、図１、図３、図４に示すように、断面略Ｕ字状（又は断面略Ｖ字状）に形成されている主体５０と、前記主体５０の両端域に設けられたクリップ部５１，５１とから構成されている。
【００３２】
ここで、図３や図５に示すように、このバネ板材５は、クリップ部５１を構成する端縁部５３を、蓋板４の隙間ｇに挿入するように使用されるが、この状態において、一方のクリップ部５１は両垂下片１４，４１ｂ相互間の、他方のクリップ部５１は両立設片１５，４２ｂ相互間の、それぞれガタ付きを阻止するようにしている。
【００３３】
これはクリップ部５１が以下の如く構成されているからである。すなわち、
バネ部材５は図３の如き状態では、クリップ５１，５１相互は離れる方向にバネ付勢力が発生している。そして、クリップ５１はバネ板材５の先端部を図３や図５に示すように、折り曲げて構成されているが、底面５２は左側から右側に向かって下方に傾斜している。
【００３４】
したがって、クリップ５１，５１のバネ付勢力によりバネ板材５は左側に移動して両垂下片１４，４１ｂ及び端縁部５３は圧接状態になり、これにより両垂下片１４，４１ｂ相互間のガタ付は阻止される。両立設片１５，４２ｂ相互間も同様の原理でガタ付きは阻止される。
【００３５】
「バネ板材５の他の形態」
クリップ５１，５１は、両垂下片１４，４１ｂ及び両立設片１５，４２ｂを単に挟み込むものでもよい。
【００３６】
（この壁パネルの高さ調節構造の優れた作用・効果について）
▲１▼．この壁パネルの高さ調節構造では、施工現場において重い壁パネルＰを調節の度に再度取り外すことなくスパナ（汎用の締めつけ工具）のみで高さ調節ができる。
【００３７】
▲２▼．この壁パネルの高さ調節構造では、被支持板３３から突出する頭部２０をスパナにより回すものであるから、従来のものと比較して、回す途中においてスパナがボルト頭２０から外れにくく、作業性に優れている。
【００３８】
▲３▼．この壁パネルの高さ調節構造では、図１に示す如くバネ板材５を開口部３４に押し込むだけで、開口部３４を塞ぐことができ、しかも上述した如く蓋板４はガタ付くことがない。
【００３９】
▲４▼．この壁パネルの高さ調節構造は、アルミ押出し形材を組み合わせることで形成されているから、現地加工及びフリ−サイズ化を可能とし、加工工程を大幅に削減できると共に大幅なコストタウンが可能になる。
【００４０】
【発明の効果】
発明の実施の形態の欄から明らかなように、壁パネルの高さ調節が容易な壁パネルの高さ調節構造を提供できた。
【図面の簡単な説明】
【図１】この発明の実施形態の壁パネルの高さ調節構造の断面図。
【図２】前記壁パネルの高さ調節構造の斜視図。
【図３】前記壁パネルの高さ調節構造における、蓋板及びバネ板材の構造を示す断面図。
【図４】前記壁パネルの高さ調節構造を構成するバネ板材の斜視図。
【図５】前記蓋板及びバネ板材等の拡大図。
【図６】この発明の他の実施形態の壁パネルの高さ調節構造を構成する頭付ボルトの説明図。
【符号の説明】
Ｐ      壁パネル
１      基礎部材
２      頭付ボルト
３      巾木
４      蓋体
５      バネ部材
２０    頭部
２２    フランジ板
３０    天板
３１    側板
３２    側板
３３    被支持板
３４    開口部
【図１】
2005023611.tif 000003
【図２】
2005023611.tif 000004
【図３】
2005023611.tif 000005
【図４】
2005023611.tif 000006
【図５】
2005023611.tif 000007
【図６】
2005023611.tif 000008